(57)【特許請求の範囲】
【請求項１】
緊張材を橋脚もしくはアバットに定着させる緊張材定着装置であって、
前記緊張材の挿入口が形成されている先端側に向かって漸次縮径するテーパ孔が形成された雌コーンと、
テーパ円筒形の外周形状と平行円筒形の内周形状を有する筒状体を複数分割にした分割筒状に形成され、前記雌コーンのテーパ孔に収納されている雄コーンと、
前記雌コーンの後端側の開口端面に螺着されているキャップと、
前記雄コーンとキャップとの間に介装され、前記雄コーンを前記雌コーンの先端側に付勢している第１のスプリングと、
前記キャップが螺着されている前記雌コーンを収納する防錆キャップと、
該防錆キャップの底面と前記キャップとの間に介装され、前記キャップおよび前記雌コーンを前記第１のスプリングの付勢方向と同一方向に付勢している第２のスプリングとを具備することを特徴とする緊張材定着装置。
【請求項２】
前記キャップの前記第２のスプリングとの当接面には、前記第２のスプリングを位置決めするための凸部が形成されていることを特徴とする請求項１記載の緊張材定着装置。
【請求項３】
前記第２のスプリングの付勢力は、前記第１のスプリングの付勢力よりも弱いことを特徴とする請求項１又は２記載の緊張材定着装置。
【発明の詳細な説明】
【０００１】
【発明の属する技術分野】
本発明は、ＰＣ鋼より線等の緊張材の端末の定着に用いる緊張材定着装置に関し、特に隣り合う橋脚間および隣り合う橋脚とアバットとの間に張設する緊張材の端末の定着に用いる緊張材定着装置に関する。
【０００２】
【従来の技術】
図５は、橋脚間緊張構造の構成を示す側面図であり、図６は、図５に示す定着装置付近の構成を示す断面図である。
橋脚１０およびアバット２０に橋桁３０を乗せた河川用の橋や高速道路用の橋に地震等により水平力が作用すると、橋脚１０の損壊のみならず、隣り合うアバット２０と橋脚１０との間および隣り合う橋脚１０間の固有周期に違いがある場合には、隣り合うアバット２０と橋脚１０および隣り合う橋脚１０は、異なった位相で振動することになって、橋桁３０が落橋するという被害をもたらす可能性がある。
【０００３】
そこで、従来、図５に示すように、隣り合うアバット２０と橋脚１０との間および隣り合う橋脚１０間に緊張材４０を張設する橋脚間緊張構造を用いることによって、隣り合うアバット２０と橋脚１０および隣り合う橋脚１０の間隔が拡がることを防ぎ、橋桁３０の落下を防止することが行われている。
【０００４】
このような橋脚間緊張構造に用いられる緊張材は、図６に示すように、ＰＣ鋼より線、ＰＣ鋼線等からなるＰＣ鋼材１と、ＰＣ鋼材１がアバット２０および橋脚１０に接触して傷つくことや雨水等によるＰＣ鋼材１の腐食を防止するためのＰＥパイプ２とからなり、ＰＣ鋼材１がＰＥパイプ２に挿入された状態で張設されている。ＰＣ鋼材１は、アバット２０および橋脚１０に設けられた緊張材定着装置４によって両端部がそれぞれ定着され、ＰＥパイプ２は、鋼製プレート９に取り付けられたサポートチューブ５内に設けられている雌コーン５１と雄コーン５２とからなるパイプ定着装置によって一端部のみが定着されている。
【０００５】
緊張材定着装置４は、図６を参照すると、ＰＣ鋼材１の挿入口（先端側）に向かって漸次縮径するテーパ孔が形成された雌コーン４１と、テーパ円筒形の外周形状と平行円筒形の内周形状を有する筒状体を複数分割（例えば３分割）にした分割筒状に形成された雄コーン４２と、雌コーン４１の後端側の開口端面に螺着されているキャップ４３と、雄コーン４２とキャップ４３との間に介装され、雄コーン４２を雌コーン４１の先端側に付勢しているスプリング４４と、雌コーン４１およびキャップ４３を覆うように支圧板８に取り付けられた防錆キャップ４５とからなる。
【０００６】
このような構成において、ＰＣ鋼材１の端部を緊張材定着装置４の緊張材定着装置４に取り付けるには、ＰＣ鋼材１の端部を雌コーン４１の挿入口に挿入すると共に、雄コーン４２に挿入し、雄コーン４２をスプリング４４による付勢力以上の力で押し込こんで雄コーン４２を拡径させた後に、ＰＣ鋼材１を離す。すると、雄コーン４２は、スプリング４４によって雌コーン４１に押し込められると同時に、縮径してＰＣ鋼材１の端部を強く掴み、緊張材定着装置４にＰＣ鋼材１の端部を定着させることができる。また、同様の動作でＰＥパイプ２の端部を緊張材定着装置４のサポートチューブ５に定着させることができる（例えば、特許文献１参照）。
【０００７】
【特許文献１】
特開平０９−１５３６号公報
【０００８】
【発明が解決しようとする課題】
図７は、従来の緊張材定着装置の緊張材定着工程を示す図である。
しかしながら、従来技術では、ＰＣ鋼材１を緊張材定着装置４に挿入するに際し、図７（ａ）に示すように、ＰＣ鋼材１が雄コーン４２に引っ掛かってしまう場合があり、ＰＣ鋼材１が雄コーン４２に引っ掛かった状態でＰＣ鋼材１を押し込んだ場合には、図７（ｂ）に示すように、防錆キャップ４５の底部４５ａが破損したり、亀裂が生じたりして防錆機能が失われ、緊張材定着装置４の腐食によってＰＣ鋼材１が抜け落ちてしまう危険性があるという問題点があった。
【０００９】
また、従来技術では、ＰＣ鋼材１を張設後、地震等によって隣り合うアバット２０と橋脚１０との間および隣り合う橋脚１０の間の距離が短くなってしまうと、ＰＣ鋼材１によって雄コーン４２が押されて定着位置がずれてしまい、ＰＣ鋼材１に必要以上の緊張力が加わってしまうという問題点があった。
【００１０】
本発明は斯かる問題点を鑑みてなされたものであり、その目的とするところは、緊張材定着装置にＰＣ鋼材を定着させる際に、ＰＣ鋼材が雄コーンに引っ掛かってしまっても、防錆キャップが破損したり、亀裂が生じたりすることがなく、さらに、地震等によって隣り合うアバット２０と橋脚１０との間および隣り合う橋脚１０の間の距離が短くなった場合にも、ＰＣ鋼材１の定着位置がずれることがない緊張材定着装置を提供する点にある。
【００１１】
【課題を解決するための手段】
本発明は上記課題を解決すべく、以下に掲げる構成とした。
請求項１記載の発明の要旨は、緊張材を橋脚もしくはアバットに定着させる緊張材定着装置であって、前記緊張材の挿入口が形成されている先端側に向かって漸次縮径するテーパ孔が形成された雌コーンと、テーパ円筒形の外周形状と平行円筒形の内周形状を有する筒状体を複数分割にした分割筒状に形成され、前記雌コーンのテーパ孔に収納されている雄コーンと、前記雌コーンの後端側の開口端面に螺着されているキャップと、前記雄コーンとキャップとの間に介装され、前記雄コーンを前記雌コーンの先端側に付勢している第１のスプリングと、前記キャップが螺着されている前記雌コーンを収納する防錆キャップと、該防錆キャップの底面と前記キャップとの間に介装され、前記キャップおよび前記雌コーンを前記第１のスプリングの付勢方向と同一方向に付勢している第２のスプリングとを具備することを特徴とする緊張材定着装置に存する。
また請求項２記載の発明の要旨は、前記キャップの前記第２のスプリングとの当接面には、前記第２のスプリングを位置決めするための凸部が形成されていることを特徴とする請求項１記載の緊張材定着装置に存する。
また請求項３記載の発明の要旨は、前記第１のスプリングの付勢力は、前記第２のスプリングの付勢力の略２倍であることを特徴とする請求項１又は２記載の緊張材定着装置に存する。
【００１２】
【発明の実施の形態】
以下、本発明の実施の形態を図面に基づいて詳細に説明する。
【００１３】
図１は、本発明に係る緊張材定着装置の実施の形態の構成を示す断面図であり、図２は、本発明に係る緊張材定着装置の実施の形態の構成を示す分解図である。
【００１４】
本実施の形態の緊張材定着装置７は、図１および図２を参照すると、ＰＣ鋼材１の挿入口（先端側）に向かって漸次縮径するテーパ孔が形成された雌コーン４１と、テーパ円筒形の外周形状と平行円筒形の内周形状を有する筒状体を複数分割（２分割等）にした分割筒状に形成された雄コーン４２と、雌コーン４１の後端側の開口端面に螺着され、凸部７１ａとＰＣ鋼材１が貫通する開口とが形成されているキャップ７１と、雄コーン４２とキャップ４３との間に介装され、雄コーン４２を雌コーン４１の先端側に付勢しているスプリング４４と、雌コーン４１およびキャップ７１を覆うように支圧板８に取り付けられた防錆キャップ４５と、防錆キャップ４５の底部４５ａとキャップ７１との間に介装され、キャップ７１および雌コーン４１を支圧板８に押しつける方向、すなわちスプリング４４の付勢方向と同一方向に付勢している第２のスプリング７２とからなる。なお、キャップ７１の第２のスプリング７２に当接する面側に形成されている凸部７１ａは、第２のスプリング７２を位置決めするために設けられている。
【００１５】
スプリング４４の付勢力と第２のスプリング７２の付勢力とは、第２のスプリング７２の付勢力がスプリング４４の付勢力よりも弱く設定されており、第２のスプリング７２の付勢力は、スプリング４４の付勢力の１／２程度であることが好ましい。
【００１６】
なお、ＰＥパイプ２は、鋼製プレート９に取り付けられたサポートチューブ５内に設けられている雌コーン５１と雄コーン５２とからなるパイプ定着装置によって一端部のみが定着されている。
【００１７】
次に、本実施の形態の緊張材定着工程について図３を参照して詳細に説明する。
図３および図４は、本発明に係る緊張材定着装置の実施の形態の緊張材定着工程を示す図である。
【００１８】
アバット２０と橋脚１０と間にＰＣ鋼材１を張設する場合には、まず、アバット２０に取り付けられている緊張材定着装置７にＰＣ鋼材１の一端部を取り付ける。すなわち、図３に示すように、ＰＣ鋼材１の一端部を雌コーン４１の挿入口に挿入すると共に、雄コーン４２に挿入し、雄コーン４２をスプリング４４による付勢力以上の力で押し込こんで雄コーン４２を拡径させた後に、ＰＣ鋼材１を離す。すると、雄コーン４２は、スプリング４４によって雌コーン４１に押し込められると同時に、縮径してＰＣ鋼材１の端部を強く掴み、緊張材定着装置７にＰＣ鋼材１の一端部を定着させることができる。
【００１９】
ＰＣ鋼材１を緊張材定着装置７に挿入するに際し、図３（ａ）に示すような、ＰＣ鋼材１が雌コーン４１に引っ掛かった状態でＰＣ鋼材１を押し込んだ場合にも、図３（ｂ）に示すように、第２のスプリング７２によって防錆キャップ４５の底部４５ａに雌コーン４１およびキャップ７１が当接することがなく、防錆キャップ４５の底部４５ａに急激な力が加わることがないため、防錆キャップ４５の底部４５ａが破損したり、亀裂が生じたりすることがない。
【００２０】
次に、橋脚１０側にＰＣ鋼材１の他端部を取り付ける。図４（ａ）に示すように、防錆キャップ４５と第２のスプリング７２とを取り外した状態の緊張材定着装置７にＰＣ鋼材１を通し、図示しない緊張用ジャッキによってＰＣ鋼材１を図４（ａ）に矢印で示す方向に緊張させる。緊張用ジャッキによる緊張は、キャップ７１および雌コーン４１を押さえた状態で行われるため、雄コーン４２は、スプリング４４によって雌コーン４１に押し込められると同時に、縮径してＰＣ鋼材１の端部を強く掴み、緊張させた状態でＰＣ鋼材１を定着させることができる。
【００２１】
このようにしてＰＣ鋼材１に所定の緊張力を与えた後、図示しない緊張用ジャッキを取り外すと共に、図４（ａ）に示すように、ＰＣ鋼材１を切断し、図４（ｂ）に示すように、第２のスプリング７２と防錆キャップ４５とを取り付ける。
【００２２】
以上説明したように、本実施の形態によれば、防錆キャップ４５とキャップ７１（雌コーン４１）との間に第２のスプリング７２を介装することにより、緊張材定着装置７にＰＣ鋼材１を定着させる際に、ＰＣ鋼材１が雄コーン４２に引っ掛かってしまっても、防錆キャップ４５が破損したり、亀裂が生じたりすることがないため、防錆キャップ４５の防錆機能が損なわれることなく、長期間に亘って安定してＰＣ鋼材１を定着させることができるという効果を奏する。
【００２３】
さらに、本実施の形態によれば、地震等によって隣り合うアバット２０と橋脚１０との間および隣り合う橋脚１０の間の距離が短くなった場合にも、第２のスプリング７２によってＰＣ鋼材１が雄コーン４２を押し込むことがないため、定着位置がずれてしまうことがなく、長期間に亘って安定してＰＣ鋼材１を定着させることができるという効果を奏する。
【００２４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２５】
【発明の効果】
本発明の緊張材定着装置は、防錆キャップとキャップ（雌コーン）との間にスプリングを介装することにより、緊張材定着装置にＰＣ鋼材を定着させる際に、ＰＣ鋼材が雌コーンに引っ掛かってしまっても、防錆キャップが破損したり、亀裂が生じたりすることがないため、防錆キャップの防錆機能が損なわれることなく、長期間に亘って安定してＰＣ鋼材１を定着させることができるという効果を奏する。
【００２６】
さらに、本発明の緊張材定着装置は、地震等によって隣り合うアバットと橋脚との間および隣り合う橋脚の間の距離が短くなった場合にも、第２のスプリングによってＰＣ鋼材が雄コーンを押し込むことがないため、定着位置がずれてしまうことがなく、長期間に亘って安定してＰＣ鋼材を定着させることができるという効果を奏する。
【図面の簡単な説明】
【図１】本発明に係る緊張材定着装置の実施の形態の構成を示す断面図である。
【図２】本発明に係る緊張材定着装置の実施の形態の構成を示す分解図である。
【図３】本発明に係る緊張材定着装置の実施の形態の緊張材定着工程を示す図である。
【図４】本発明に係る緊張材定着装置の実施の形態の緊張材定着工程を示す図である。
【図５】橋脚間緊張構造の構成を示す側面図である。
【図６】図５に示す定着装置付近の構成を示す断面図である。
【図７】従来の緊張材定着装置の緊張材定着工程を示す図である。
【符号の説明】
１  ＰＣ鋼材
２  ＰＥパイプ
４、７  緊張材定着装置
５  サポートチューブ
８  支圧板
９  鋼製プレート
１０  橋脚
２０  アバット
３０  橋桁
４１、５１  雌コーン
４２、５２  雄コーン
４３  キャップ（従来）
４４  スプリング
４５  防錆キャップ
７２  第２のスプリング
７１  キャップ（本発明）
【図１】
0003653269.tif 000002
【図２】
0003653269.tif 000003
【図３】
0003653269.tif 000004
【図４】
0003653269.tif 000005
【図５】
0003653269.tif 000006
【図６】
0003653269.tif 000007
【図７】
0003653269.tif 000008